(57)【特許請求の範囲】
【請求項１】
垂直ビームチルト制御アンテナのためのマルチライン移相器（ＭＬＰＳ）であって、
平面が長い長方形の箱形態を有するハウジングと、
前記ハウジング内の底面に取り付けられ、入力信号の分配及び分配された信号の位相可変のための複数の位相可変パターンの一部分及び複数の信号分配パターンを形成する伝送線路が印刷される固定基板と、
前記ハウジング内で前記固定基板の一面と接触する位置で長さ方向に沿って移動可能であるように設置され、前記複数の位相可変パターンの一部とのカップリングを介して可変線路を形成することにより位相可変のために前記複数の位相可変パターンの残りの部分を形成する伝送線路が印刷される移動基板とを有し、
前記複数の位相可変パターン及び前記複数の信号分配パターンのうち少なくとも一部は、前記入力信号を分配した信号のうち少なくとも一つの位相を可変し、前記位相可変された信号を再分配した信号のうち少なくとも一つの位相をさらに可変する構造を有する
ことを特徴とするマルチライン移相器。
【請求項２】
前記固定基板は、１つの入力ポートを対応する入力ポートに入力される信号が分配されることにより出力される複数の出力ポートに接続するためのパターンが前記ハウジングの長さ方向に対して上下端に印刷され、前記入力ポートと前記複数の出力ポート間で前記伝送線路が形成される
ことを特徴とする請求項１に記載のマルチライン移相器。
【請求項３】
前記固定基板及び前記移動基板上に形成される前記複数の位相可変パターンは、相互に比例して又は反比例して位相を可変させ、前記移動基板の移動方向に沿って１つの基準軸に一列に形成されるように印刷される
ことを特徴とする請求項１に記載のマルチライン移相器。
【請求項４】
複数のボールプランジャは、前記ハウジング内部の上面と向かい合う移動基板の一面上に設置される
ことを特徴とする請求項１に記載のマルチライン移相器。
【請求項５】
前記移動基板上に印刷される前記複数の位相可変パターンの残りの部分は、
前記移動基板の下面上に形成される複数の装着溝に挿入される複数のサブ基板上に個別に印刷され、
前記複数のサブ基板と前記複数の装着溝間に前記複数のサブ基板を押し出す弾性力を加えるためのバネが介在される
ことを特徴とする請求項１に記載のマルチライン移相器。
【請求項６】
前記固定基板は、１つの入力ポートが対応する入力ポートの入力信号が分配されることにより出力される５個の出力ポートに接続される構造を有し、前記入力ポート、第５の出力ポート、及び第４の出力ポートに接続するためのパターンは、前記ハウジングの長さ方向に対して下端の左側から右側に順次に形成され、第１、第２、及び第３の出力ポートに接続するためのパターンは、前記ハウジングの長さ方向に対して上端の左側から右側に順次に形成され、前記第１乃至第５の出力ポートは、垂直方向に配列される５個の放射素子に順次にマッピングされる
ことを特徴とする請求項１に記載のマルチライン移相器。
【請求項７】
前記固定基板及び前記移動基板上に印刷される複数の伝送線路は、マイクロストリップラインを用いて形成され、前記固定基板及び前記移動基板は、誘電体基板を用いて形成され、絶縁膜は、前記固定基板と前記移動基板とが接触する面の中の少なくとも一面に形成される
ことを特徴とする請求項１乃至請求項６の中のいずれか１項に記載のマルチライン移相器。
【請求項８】
前記固定基板は、半田づけにより前記ハウジングに取り付けられる
ことを特徴とする請求項１乃至請求項６の中のいずれか１項に記載のマルチライン移相器。
【発明の詳細な説明】
【技術分野】
【０００１】
本発明は、移動通信システムに使用されるアンテナに関し、特に、アンテナの垂直ビームチルト調節のために使用される核心部品であるマルチライン移相器（Multi-Line Phase Shifter：以下、“ＭＬＰＳ”と称する）に関する。
【背景技術】
【０００２】
移動通信システムにおいて、最初に固定型アンテナが基地局（Base Station：ＢＳ）に使用されたが、最近では、垂直及び／又は水平ビームチルティング（beam tilting）が可能な垂直ビームチルト制御アンテナが多い長所により普及している。このような垂直ビームチルト制御アンテナの場合に、機構的なビームチルト方式と電気的なビームチルト方式とが使用可能である。
【０００３】
通常、アンテナにおいて、機構的なビームチルト方式は、サポートポールと結合する部位に備えられる手動又は動力作動ブラケット構造に基づく方式である。このようなブラケット構造の作動に従ってアンテナの設置傾きが可変され、これにより、アンテナの垂直ビームチルトが可能となる。一方、電気的なビームチルト方式は、マルチライン移相器（ＭＬＰＳ）に基づく。垂直に配列されたアンテナ放射素子に供給される信号間の位相差を可変させることにより垂直ビームチルティングを電気的に可能であるようにする。このような垂直ビームチルティング技術の一例は、“ＥＭＳ Ｔｅｃｈｎｏｌｏｇｉｅｓ，Ｉｎｃ．”で出願した米国特許第６，８６４，８３７号（発明の名称：Vertical Electrical Downtilt Antenna、発明者：Donald L.Runyonなど、及び特許日：２００５年３月８日）に開示されている。
【０００４】
このような電気的垂直ビームチルティングのためには、ＭＬＰＳが必須的に備えられる。通常、ＭＬＰＳは、位相配列アンテナ（Phase Array Antenna）のビーム制御だけではなく、位相変調機能を行うために無線周波数（ＲＦ）アナログ信号処理端の様々な分野で使用される。ＭＬＰＳは、位相差が入力信号を適切に遅延させることにより入力信号と出力信号間で発生する原理に基づいて動作する。この位相差は、簡単に伝送線路の物理的な長さを異ならせるか、又は様々な方式で伝送線路に沿う信号伝搬速度を異ならせることにより得られることができる。通常、ＭＬＰＳは、例えば、伝送線路の長さを可変させることにより位相遷移を変更するように構成される。
【０００５】
特に、最近では、移動通信システムは、基地局内の位相配列アンテナの垂直ビーム角の調節を通して基地局のカバレッジを調整するために位相配列アンテナの各放射素子の位相を調和して可変させる技術を要求しており、このような要求を満足させるために、様々な構造の複数のＭＬＰＳが開発され幅広く普及している。特に、ＭＬＰＳは、入力信号を複数の出力信号に分配し、各出力信号の位相差を適切に調節するための構造を有し得る。例えば、このような垂直ビームチルティングのためのＭＬＰＳに関する技術は、“Etenna Corporation”で出願した米国特許第６，８３１，６９２号（発明の名称：Low Cost Trombone Line Beamformer、発明者：William E. McKinzie, IIIなど、及び特許日：２００４年１２月１４日）に開示されている。
【０００６】
しかしながら、このようなマルチライン移相器は、対応するマルチライン移相器自体の構造又は処理信号の位相を可変させる性能向上のための方向に主に開発されただけで、位相配列アンテナのように対応するマルチライン移相器が設けられるアンテナの構造の観点では、その研究が多少不十分な点がある。したがって、向上した性能及び構造を有するマルチライン移相器に対する研究及び開発の必要性が高まっている。
【発明の概要】
【発明が解決しようとする課題】
【０００７】
本発明の目的は、少なくとも上述した問題点及び／又は不都合に取り組み、少なくとも以下の便宜を提供することにある。すなわち、本発明の目的は、最適の構造及び安定した機構的構造を有することができるようにするための垂直ビームチルト制御アンテナのためのマルチライン移相器を提供することにある。
【０００８】
本発明の他の目的は、信号損失を減少させることができるようにするための垂直ビームチルト制御アンテナのためのマルチライン移相器を提供することにある。
【０００９】
本発明のさらなる他の目的は、位相配列アンテナで電力供給ケーブルのツイストを防止するための垂直ビームチルト制御アンテナのためのマルチライン移相器を提供することにある。
【課題を解決するための手段】
【００１０】
上記のような目的を達成するために、本発明の実施形態の一態様によれば、垂直ビームチルト制御アンテナのためのマルチライン移相器（ＭＬＰＳ）は、平面が長い長方形の箱形態を有するハウジングと、上記ハウジング内の底面に取り付けられ、入力信号の分配及び分配された信号の位相可変のための複数の位相可変パターンの一部分及び複数の信号分配パターンを形成する伝送線路が印刷される固定基板と、上記ハウジング内で上記固定基板の一面と接触する位置で長さ方向に沿って移動可能であるように設置され、上記複数の位相可変パターンの一部とのカップリングを介して可変線路を形成することにより位相可変のために上記複数の位相可変パターンの残りの部分を形成する伝送線路が印刷される移動基板とを有することを特徴とする。
【発明の効果】
【００１１】
本発明による垂直ビームチルト制御アンテナのためのマルチライン移相器は、最適の構造及び安定した機構的構造を有することができる。また、マルチライン移相器は、電力供給ケーブルがツイストされなかったために処理信号の損失を減少させることができる。
【００１２】
本発明の実施形態の上述した及び他の様相、特徴、及び利点は、以下の添付図面が併用された後述の詳細な説明から、より一層明らかになるだろう。
【図面の簡単な説明】
【００１３】
【図１】本発明の一実施形態による垂直ビームチルト制御アンテナのためのマルチライン移相器の主要部の外観斜視図である。
【図２】図１の正面図である。
【図３】図１に示すハウジング及び固定基板の斜視図である。
【図４】図３の正面図である。
【図５】図１に示す移動基板の斜視図である。
【図６】図５に示す移動基板の底面斜視図である。
【図７】図１に示す固定基板及び移動基板の配線図である。
【図８】図７の等価回路図である。
【図９】本発明の一実施形態によるマルチライン移相器がアンテナに適用された構造を示す概略図である。
【図１０】本発明の他の実施形態によるマルチライン移相器の構造を示す図である。
【図１１】本発明の一実施形態によるマルチライン移相器の駆動装置を示す図である。
【発明を実施するための形態】
【００１４】
以下、本発明の好適な実施形態について添付図面を参照しながら詳細に説明する。下記の説明では、特許請求の範囲の記載及びこれと均等なものの範囲内で定められるような本発明の実施形態の包括的な理解を助けるために提供するものであり、この理解を助けるために具体的な回路の構成素子などのような様々な特定の詳細を含むが、単に例示に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１５】
図１は、本発明の一実施形態による垂直ビームチルト制御アンテナのためのマルチライン移相器の主要部の外観斜視図であり、図２は、図１の正面図である。
【００１６】
図１及び図２を参照すると、本発明によるＭＬＰＳは、長い長方形のボックス（すなわち、垂直に長い長方形の六面体）の形態を有するハウジング１０を備える。通常、垂直に伸張された位相アレイアンテナの放射素子は、垂直に配列される。また、このようなＭＬＰＳのハウジング１０の形態は、垂直に伸張される垂直ビームチルト制御アンテナ、例えば、反射板の底面及び側面への設置を容易にする。
【００１７】
ＭＬＰＳは、ハウジング１０の底面に固定的に取り付けられる。１つの入力ポート（図示せず）を対応する入力ポートの入力信号が分配されることにより出力される複数の出力ポート（図示せず）に接続するためのパターンは、ハウジング１０の長さ方向に対してハウジング１０の上端及び下端に印刷される。また、ＭＬＰＳは、この入力ポートと複数の出力ポートとの間で入力信号の分配及び分配された信号の位相可変のための複数の位相可変パターンの一部分及び複数の信号分配パターンを形成する伝送線路が印刷される固定基板１４をさらに含む。
【００１８】
また、ＭＬＰＳは、固定基板１４の一面と接触する位置で長さ方向に沿って移動可能であるように設置される移動基板１２を含む。固定基板１４の複数の位相可変パターンの一部とのカップリングを介して可変線路を形成することにより位相を可変させるための複数の位相可変パターンの残りの部分を形成する伝送線路は、固定基板１４の面と接触する移動基板１２の一面上に形成される。
【００１９】
固定基板１４上に印刷される複数の位相可変パターンの一部は、移動基板１２上に印刷される複数の位相可変パターンの残りの部分にカップリングされることにより、ＭＬＰＳの機能を実現させる。移動基板１２が移動するに従って、可変線路構造をそれぞれ有する複数の位相可変パターンは、比例して又は反比例して位相を可変させる。移動基板１２は、移動体ハウジングに薄い基板を取り付けることにより形成される。この際に、可変線路構造を有する複数の位相可変パターンは、移動基板１２の移動方向に沿って１つの基準軸に一列に形成されるように印刷される。したがって、全体的な基板構造は、長さ方向に沿って長く形成されることができる。また、２個の基板１２及び１４がハウジング１０内に積層されるので、ＭＬＰＳは、スリムな形態で実現される。
【００２０】
通常、ＭＬＰＳは、例えば、５ウェイ（way）分配器を実現するために追加の１つの入力分配器に接続される。このような設計は、ＭＬＰＳのサイズを減少させるが、給電線路（ケーブル）の増加された長さによる信号損失を増加させる。他方、本発明のＭＬＰＳは、５ウェイ分配器及び位相可変回路を１つの基板に統合することにより設計され、アンテナの長さ方向に沿ってレイアウトされる。したがって、長さ損失は、ケーブルのツイストなしに軽減されることができるだけでなく、ＭＬＰＳのサイズも減少されることができる。
【００２１】
このように構成されるＭＬＰＳにおいて、固定基板１４及び移動基板１２上に印刷される複数の伝送線路は、マイクロストリップライン又はストリップラインに実現され得る。また、固定基板１４及び移動基板１２は、空気基板又は誘電体基板で構成され得る。この際に、絶縁膜は、固定基板１４と移動基板１２とが接触する面の中の少なくとも一面に適切な材質で形成されることにより、移動基板１２が固定基板１４上に円滑にスライドされ得るようにし、向かい合うマイクロストリップラインが摩擦による破損に対して保護され得るようにする。
【００２２】
また、開口部は、ハウジング１０の一面、例えば、図１及び図２に示すように、ハウジング１０の上面に形成されることにより、移動基板１２の一部分を露出させる。したがって、受動又は動力作動駆動装置は、この開口部を介して移動基板１２に接続されることにより、移動基板１２がハウジング１０の長さに沿って移動し得る。駆動装置は、２つのＭＬＰＳを同時に制御するだけではなく個別に制御するように構成され得る。
【００２３】
図３は、図１に示したハウジング及び固定基板の斜視図であり、図４は、図３の正面図である。
【００２４】
図３及び図４を参照すると、固定基板１４は、ハウジング１０の内部底面に装着される。この際に、固定基板１４は、固定基板１４とハウジング１０との接触面ができるだけ密着する方式で、ハウジング１０へのハンダ付け又はボンディング作業が施される。これに従って、屈曲（flexure）又は歪み（distortion）を減少させることにより移動基板１２が固定基板１４の上面、すなわち、伝送線路が印刷された面で円滑にスライディングすることができるようにする。受動相互変調歪み（Passive Inter-Modulation Distortion：ＰＩＭＤ）を改善させるために、固定基板１４は、ハンダ付けによりハウジング１０と電気的に完全に密着し得る。
【００２５】
図５は、図１に示した移動基板１２の斜視図であり、図６は、図５の底面斜視図である。
【００２６】
図５及び図６を参照すると、複数のボールプランジャ１２２は、移動基板１２の上面、すなわち、ハウジング１０の内部の上面と向かい合う移動基板１２の一面に設置される。複数のボールプランジャ１２２は、移動基板１２がハウジング１０内に装着される場合に、移動基板１２を押すように機能する。したがって、移動基板１２は、固定基板１４と密着し得、ハウジング１０の内部の上面に対してさらに円滑にスライディングし得る。
【００２７】
一方、図６を参照すると、固定基板１４の複数の位相可変パターンの一部とカップリングするための複数の位相可変パターンは、移動基板１２の底面に形成される。この複数の位相可変パターンは、移動基板１２の底面に一括的に印刷されるのではなく、移動基板１２の底面に個別的に挿入され突出されることができるように設けられる複数のサブ基板１２４上に個別に印刷される。
【００２８】
複数のサブ基板１２４は、移動基板１２の底面の適切な位置で形成される複数の装着溝１２６に挿入され得る。この際に、バネ１２５は、複数のサブ基板１２４と装着溝１２６間に介在され、したがって、サブ基板１２４を押し出す弾性力を加える。そこで、各サブ基板１２４は、対応する固定基板１４と密着し、サブ基板１２４の位相可変パターンと固定基板１４の位相可変パターン間で安定したカップリングがなされる。
【００２９】
移動基板１２が上述したような構成を有することができ、移動基板１２上に形成される複数の位相可変パターンが１つの基板上に一括的に印刷されるのではなく、個別に複数のサブ基板１２４上に形成されるため、移動基板１２は、固定基板１４上にあり得る屈曲又は歪みの大きな影響なしに円滑にスライディングすることができる。
【００３０】
図７は、図１に示す固定基板及び移動基板の配線図であり、図８は、図７の等価回路図である。
【００３１】
図７及び図８を参照すると、ハウジング１０の長さ方向に対して固定基板１４の上端及び下端に形成される１つの信号入力ポートを対応する入力ポートに入力される信号から分配された信号が出力される複数の出力ポートに接続するためのパターンＩＮ及びＰ１乃至Ｐ５が固定基板１４上に形成される。
【００３２】
図７に示す例において、１つの入力ポートに入力される信号は、５個の信号に分配され、この分配された信号は、５個の出力ポートに送信される。例えば、パターンＩＮ、Ｐ５及びＰ４は、入力ポート、第５の出力ポート、及び第４の出力ポートに接続するために、ハウジング１０の長さ方向に対して下端の左側から右側に順次に形成される。また、パターンＰ１、Ｐ２、及びＰ３は、第１、第２、及び第３の出力ポートとそれぞれ接続するためにハウジング１０の長さ方向に対して上端の左側から右側に順次に形成される。
【００３３】
一方、入力信号の分配及びこの分配された信号のそれぞれの位相可変のための複数の位相可変パターンの一部分ｉ１−ｉ２、ｆ１−ｆ２、ｌ１−ｌ２及びｑ１−ｑ２と複数の信号分配パターンｃ−ｆ１−ｌ１−ｄ、ｈ−ｉ１−ｊ、及びｎ−ｑ１−ｏとは、この入力ポートのためのパターンＩＮ及び第１乃至第５の出力ポートのためのパターンＰ１乃至Ｐ５間に位置する。この際に、この入力ポートの接続パターンＩＮは、パターンａ、ｂ、及びｃに伸張された後に、パターンｃでパターンｆ、ｌ、及びｄに分配される。パターンｄは、パターンｅに伸張され、第３の出力ポートの接続パターンＰ３に接続される。パターンｆは、パターンｇ及びｈに接続された後に、パターンｉ及びｊに分配される。パターンｊは、パターンｋに伸張され、第２の出力ポートの接続パターンＰ２に接続され、パターンｉは、第１の出力ポートの接続パターンＰ１に接続される。パターンｌは、パターンｍ及びｎに接続された後に、パターンｏ及びｑに分配される。パターンｏは、パターンｐを介して第４の出力ポートの接続パターンＰ４に接続され、パターンｑは、第５の出力ポートの接続パターンＰ５に接続される。
【００３４】
パターンｆ、ｉ、ｌ、及びｑは、位相可変のための可変線路を形成するためのパターンであり、それぞれは、所定の長さに対して相互に平行である２つのパターンｆ１及びｆ２、ｉ１及びｉ２、又はｑ１及びｑ２に分離されるように設計される。移動基板１２の位相可変パターン１２４ａ乃至１２４ｄは、このような平行部分に対応する位置で“Ｕ”字状で形成され、Ｕ字状の伝送線路の各端部は、パターンｆ、ｉ、ｌ、及びｑの平行部分に対応して配置される。したがって、キャパシタンスカップリングは、パターンｆ、ｉ、ｌ、及びｑの平行部分とＵ字状の伝送線路間で発生する。移動基板１２が移動するに従って、パターンｆ１及びｆ２、ｉ１及びｉ２、ｌ１及びｌ２、ｑ１及びｑ２間の伝送線路の物理的な長さは、このカップリングにより変わる。その結果、伝達される信号の位相が可変される。
【００３５】
上述した構成において、この入力ポートの接続パターンＩＮに入力される信号は、パターンｃ−ｆ−ｌ−ｄで一次的に分配され、パターンｄで分配される信号は、パターンｅを介して第３の出力ポートに出力される。この際に、パターンｆで分配される信号は、一次的に位相が可変され、パターンｇ及びｈに沿って転送された後に、パターンｈ−ｉ−ｊで二次的に分配される。パターンｊで分配される信号は、パターンｋを介して第２の出力ポートに出力され、パターンｉで分配される信号は、二次的に位相が可変された後に第１の出力ポートに出力される。
【００３６】
一方、パターンｃ−ｆ−ｌ−ｄで一次的に分配される際に、パターンｌで分配された信号は、一次的に位相が可変され、パターンｍ及びｎに沿って送信された後に、パターンｎ−ｇ−ｏで二次的に分配される。パターンｏで分配された信号は、パターンｐを介して第４の出力ポートに出力され、パターンｇで分配される信号は、二次的に位相が可変された後に第５の出力ポートに出力される。
【００３７】
各伝送線路の回路図である図８を参照すると、パターンａ乃至ｑは、隣接するパターンとのインピーダンスマッチングのために異なる抵抗値を有するように設計され、全体的に各出力ポートに対する分配比を最適に設定することができるように設計される。また、各パターンは、対応する周波数帯域に対してλ／４の特性を有する長さを有するように設計される。
【００３８】
より詳細に説明すると、第１乃至第５の出力ポートは、アンテナで垂直方向に配列される５個の放射素子に順次に接続される。この際に、入力信号の適切な分配比は、それぞれの出力ポートに対して同一に設定されず予め定められる。すなわち、各放射素子に提供される出力信号の分配比は、アンテナビームパターンのサイドローブ（sidelobe）特性を改善するように適切に設定され得る。
【００３９】
また、移動基板１２上の位相可変パターン１２４ａ乃至１２４ｄによる位相変化量は、相互に比例して又は反比例して設定される。例えば、位相可変パターン１２４ａ乃至１２４ｄは、下側の２つの位相可変パターン１２４ｃ及び１２４ｄの可変線路の長さが増加する場合に、上側の２つの位相可変パターン１２４ａ及び１２４ｂの可変線路の長さが減少するように設計される。したがって、第１乃至第５の出力ポートは、それぞれ位相変化量４Ｘ、２Ｘ、０Ｘ、−２Ｘ、及び−４Ｘを有し得る。ここで、Ｘは、位相変化量を意味する。０Ｘは、位相変化量がないことを意味し、２Ｘ／４Ｘは、位相変化量４Ｘが位相変化量２Ｘより２倍大きいことを意味する。このような方式で、第１乃至第５の出力ポートに順次に接続される第１乃至第５の放射素子は、異なる位相変化量を有することにより垂直ビームチルティングが可能となる。
【００４０】
ここで、入力ポート、第５の出力ポート、及び第４の出力ポートの接続パターンＩＮ、Ｐ５、及びＰ４と第１、第２、及び第３の出力ポートの接続パターンＰ１、Ｐ２、及びＰ３とが最適の順序で形成されることを留意すべきである。すなわち、本発明に従って、この位相可変パターンは、基準軸に沿って一列に形成される。これらのパターンは、例えば、１つの位相可変パターンを経験する信号が第２の出力ポートに出力され、 ２つの位相可変パターンを経験する信号が第１の出力ポートに出力される方式で設計されることにより、位相変化量が２倍の差が出る。
【００４１】
通常、放射素子は、位相アレイアンテナのような垂直ビームチルティングが可能なアンテナで長さ方向に配列される。従って、本発明は、アンテナの配列方向と同一の方向、すなわち、長さ方向に沿って長い構造を有する。また、この出力ポートは、第１乃至第５の放射素子への接続のために適切に配置されることにより、この出力ポートをこの放射素子に接続するのに必要とされる給電線の長さが減少され、これによる位相アレイアンテナの電力損失が減少されることにより利得が向上することができる。
【００４２】
図９は、本発明の一実施形態によるＭＬＰＳがアンテナに適用された構造を示す概略図である。図９を参照すると、線形直交偏波を発生するために複数のダイポールの組み合せで構成される放射素子、例えば、第１乃至第５の放射素子２０−１乃至２０−５は、アンテナで長さ方向に順次に配置される。本発明によるＭＬＰＳは、＋４５°及び−４５°の偏波を発生するためにアンテナで２個の位置にそれぞれ設置され得る。
【００４３】
この際に、接続ケーブルは、ＭＬＰＳ１０の出力ポートと放射素子２０−１乃至２０−５間で相互にツイストされることなく効率的に接続される。
【００４４】
図１０Ａ及び図１０Ｂは、本発明の他の実施形態によるＭＬＰＳの構造を示す図である。特に、図１０Ａは、本発明の他の実施形態よるＭＬＰＳの固定基板及び移動基板のパターンを示す図であり、図１０Ｂは、ＭＬＰＳの出力ポートから出力される信号の位相変化量を示す図である。
【００４５】
図１０Ａ及び図１０Ｂを参照すると、本発明の他の実施形態によるＭＬＰＳは、１つの入力ポートと４個の出力ポートとを有する。すなわち、ＭＬＰＳは、偶数、すなわち、４個の放射素子を有するアンテナに適用されるように設計される。このようなＭＬＰＳは、図１乃至図９に示すＭＬＰＳの構造に比べて、１つの出力ポート（例えば、図１乃至図９での第１の出力ポートの接続パターンＰ１）のためのパターンを有しない。
【００４６】
ＭＬＰＳにおいて、第１及び第２の出力ポートに接続するためのパターンＰ１及びＰ２は、ハウジング１０の長さ方向に対して上端の左側から右側に順次に形成され、この入力ポート、第４の出力ポート、及び第３の出力ポートに接続するためのパターンＩＮ、Ｐ４、及びＰ３は、ハウジング１０の長さ方向に対して下端の左側から右側に順次に形成される。また、ＭＬＰＳは、第１乃至第４の出力ポートに対する位相変化量がそれぞれ１Ｘ、０Ｘ、−１Ｘ、及び−２Ｘであるように設計され得る。
【００４７】
図１１は、本発明の一実施形態によるＭＬＰＳの駆動装置を示す図である。図１１を参照すると、ＭＬＰＳは、移動基板１２の一部が露出するようにハウジング１０の上面に開口部を有する。動力作動駆動装置は、このような開口部を介して移動基板１２に接続されることにより移動基板１２がハウジング１０の長さ方向に沿って移動する。
【００４８】
より詳細に、この駆動装置は、外部駆動制御信号に従って動作する駆動モータ３０を含み得る。駆動モータ３０は、ピニオンギア３０２に接続され得る。また、移動基板１２は、駆動転送軸３１０の一側に接続され得、ラックギア３１２は、駆動転送軸３１０の他側に形成される。ラックギア３１２は、駆動モータ３０のピニオンギア３０２に接続され得る。したがって、駆動装置３０の駆動に従って、ラックギア３０２がピニオンギア３１２と連動し、駆動転送軸３１０が移動する。その結果、移動基板１２が移動する。
【００４９】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００５０】
１０  ハウジング
１２  移動基板
１４  固定基板
【図１】
0005499161.tif 000002
【図２】
0005499161.tif 000003
【図３】
0005499161.tif 000004
【図４】
0005499161.tif 000005
【図５】
0005499161.tif 000006
【図６】
0005499161.tif 000007
【図７】
0005499161.tif 000008
【図８】
0005499161.tif 000009
【図９】
0005499161.tif 000010
【図１０（ａ）】
0005499161.tif 000011
【図１０（ｂ）】
0005499161.tif 000012
【図１１】
0005499161.tif 000013